(57)【要約】【課題】  緩衝手段としてだけでなく、それ自体を広告として有効活用したエアー緩衝材を提供することにある。【解決手段】  フィルムを重ね合わせ、溶着して形成された空気室に空気が封入されたエアー緩衝材において、フィルムの一部が広告を表示する広告表示手段であること、また、広告表示手段が、空気室を複数備え、２以上の空気室にまたがって設けられていること、さらに、空気室と空気室との間に分割手段が設けられていることを特徴とする。【選択図】図１
2020190699.tif 000002
【特許請求の範囲】
【請求項１】
フィルムを重ね合わせ、溶着して形成された空気室に空気が封入されたエアー緩衝材において、
前記フィルムの一部が広告を表示する広告表示手段であることを特徴とするエアー緩衝材。
【請求項２】
前記広告表示手段が、前記空気室を複数備え、２以上の前記空気室にまたがって設けられていることを特徴とする請求項１に記載のエアー緩衝材。
【請求項３】
前記空気室と前記空気室との間に分割手段が設けられていることを特徴とする請求項２に記載のエアー緩衝材。
【請求項４】
前記広告表示手段が、前記空気室の形状に沿って湾曲していることを特徴とする請求項１〜３のいずれか一項に記載のエアー緩衝材。
【発明の詳細な説明】
【技術分野】
【０００１】
本発明は、フィルムの一部が広告表示手段であるエアー緩衝材に関する。
【背景技術】
【０００２】
従来より、通信販売等で物品を箱に梱包する際、外部からの衝撃を緩和するため、また、輸送中に物品が箱内で動いて傷付いたり破損したりすることを防ぐために、緩衝材を用いて物品を包んだり、敷いたり、箱内の隙間を埋めたりしている。緩衝材には、発泡スチロール、エアー緩衝材、紙製緩衝材等がある。中でも、エアー緩衝材は、特許文献１のような製造装置を用いてプラスチックフィルムからなる袋体内に気体を封入しているので、必要な分だけ必要なときに作ることができ、他のものと比べて保管スペースやゴミを削減できるという利点がある。
【０００３】
特許文献１では、巻出部が、鉛直な回転軸まわりに回転可能な回転支持部材を有し、巻取体の軸方向の一方の端部側を下にして、巻取体を回転支持部材に支持することで、軸まわりに回転する巻取体から緩衝材用シートを鉛直に巻き出し可能としたことを特徴とするエアー緩衝材製造装置を提案している。
【先行技術文献】
【特許文献】
【０００４】
【特許文献１】特開２０１７−１００４１１号公報
【発明の概要】
【発明が解決しようとする課題】
【０００５】
しかしながら、従来のエアー緩衝材は、箱を開封して中の物品を取り出す際に必ず目にするものであるが、無地のフィルムから成る、あるいは、フィルムの表面にエアー緩衝材の説明、例えば、商品名、使用上の注意事項、リサイクル識別表示マーク、製造した会社の情報等が印刷されているに過ぎなかった。
【０００６】
本発明は、このような事情に鑑みてなされたもので、緩衝手段としてだけでなく、それ自体を広告として有効活用したエアー緩衝材を提供することを目的とする。
【課題を解決するための手段】
【０００７】
請求項１記載のエアー緩衝材は、フィルムの一部が広告を表示する広告表示手段であることを特徴とする。
【０００８】
請求項２記載のエアー緩衝材は、広告表示手段が、空気室を複数備え、２以上の空気室にまたがって設けられていることを特徴とする。
【０００９】
請求項３記載のエアー緩衝材は、空気室と空気室との間に分割手段が設けられていることを特徴とする。
【００１０】
請求項４記載のエアー緩衝材は、広告表示手段が、空気室の形状に沿って湾曲していることを特徴とする。
【発明の効果】
【００１１】
本発明によれば、フィルムの一部が広告表示手段であることで、それ自体を広告として有効活用したエアー緩衝材を提供することができる。
【図面の簡単な説明】
【００１２】
【図１】本発明に係るエアー緩衝材の実施例を示す説明図である。
【図２】同実施例を説明する説明図である。
【発明を実施するための形態】
【００１３】
以下、本発明の形態について図面を参照しながら具体的に説明する。図１は、本発明に係るエアー緩衝材の実施例を示す説明図である。図２は、同実施例を説明する説明図である。
【００１４】
図１におけるエアー緩衝材１は、物品Ａを梱包する際、図２に示すように箱Ｂ内の物品Ａの周りの隙間を埋めるように物品Ａの上下面、側面に配置して使用するものである。図１ではピロータイプのエアー緩衝材１を示しているが、バブル、キルト、チューブ等のタイプであってもよく、大きさ、形状等は任意である。
【００１５】
尚、エアー緩衝材１を形成するフィルムとしては、熱溶着可能で空気を封入できるものであれば特に限定されず、公知の樹脂を使用することができる。例えば、ポリエステル系フィルム、ポリオレフィン系フィルム、ポリスチレン系フィルム、ポリ塩化ビニル系フィルムなどが挙げられ、また、これらの積層構造、または、これらを含む積層構造であってもよい。
【００１６】
空気室１０は、フィルムを重ね合わせ、溶着して形成されたものであり、封入された空気によって衝撃を和らげている。図１のピロータイプの空気室１０では、帯状のフィルムを幅方向に二つ折りにして重ね合わせ、幅方向に熱溶着して各空気室１０と境界部１６とを仕切っている仕切り部１２を形成している。図１の左側に示す三方が閉じられ一端に開口部２２が形成された袋状部分２０に開口部２２から空気を供給し、開口部２２が熱溶着でシールされてシール部１４を形成することにより、空気室１０が形成される。また、１つのエアー緩衝材１は、１つの空気室１０からなるものでもよく、複数の空気室１０からなるものでもよい。尚、空気室１０に封入する気体は必ずしも空気に限定されるものではない。
【００１７】
広告表示手段３０は、フィルムの一部が広告を表示するものであり、１つまたは複数の空気室１０を備え、空気室１０だけでなく空気室１０と空気室１０との間の境界部１６を含むものであってもよい。広告表示手段３０は、例えば、広告をフィルムの一部に印刷した広告面３２である。尚、広告の内容は、文字、写真、図柄、キャラクターデザイン等任意である。
【００１８】
このような構成のエアー緩衝材１によれば、エアー緩衝材１それ自体を広告として有効活用することができる。
【００１９】
また、広告表示手段３０は、空気室１０を複数備え、２以上の空気室１０にまたがって設けられていてもよい。図１に示すように、空気室１０が並設している場合には、広告表示手段３０は、空気室１０毎に同一の内容の広告面３２を繰り返してもよいし、異なる内容であってもよい。また、大きな広告面を確保するため、図２のエアー緩衝材２に示すように複数の空気室５０で１つの広告面３４を表示してもよい。
【００２０】
また、空気室１０と空気室１０との間に分割手段４０が設けられていてもよい。広告表示手段３０が、複数の空気室１０を備え、２以上の空気室１０にまたがって設けられている場合、境界部１６毎に分割手段４０を設けてもよいが、広告の内容や大きさ等に応じて複数の境界部１６に１つの割合で分割手段４０を設けてもよい。分割手段４０は、容易に切り離すことができるものであれば任意であり、例えばミシン目４２、スリット等がある。
【００２１】
また、広告表示手段３０は、空気室１０の形状に沿って湾曲していてもよい。フィルムが膨張して広告表示手段３０が湾曲していても、表示する広告を読み取ることは可能である。また、空気室１０の湾曲を利用して立体的な広告を表示することも可能である。
【００２２】
次に、図１、２を参照して本実施の形態におけるエアー緩衝材１の使用方法の一例を説明する。
【００２３】
まず、帯状のフィルムを幅方向に二つ折りにして重ね合わせ、幅方向に熱溶着して、空気室１０と境界部１６との仕切りとなる仕切り部１２を形成して三方が閉じた袋状部分２０を形成する。また、空気室１０と空気室１０との間の境界部１６にはミシン目４２を形成してもよい。その後、フィルムに広告面３２を印刷して、エアー緩衝材シートを作製する。尚、予め広告面３２が印刷された帯状のフィルムを、印刷された広告面３２が内側または外側になるように幅方向に二つ折りにして重ね合わせてもよい。
【００２４】
特許文献１に示したようなエアー緩衝材製造装置に、広告面３２が印刷されたエアー緩衝材シートがロール状に巻き取られたものを装着する。エアー緩衝材シートは、搬送されながら開口部２２から空気が供給され、開口部２２が熱溶着されてシール部１４によりシールされて、図１の中央、右側に示すような空気室１０に空気が封入されたエアー緩衝材１を製造する。また、同様に、シール部５４により空気室５０に空気を封入して図２に示すようなエアー緩衝材２を製造する。
【００２５】
物品Ａを箱Ｂに梱包する際、上記のように製造したエアー緩衝材１、２を使用する。使用するエアー緩衝材１、２の大きさや形状、個数や配置は、物品Ａや箱の大きさ、材質等により任意である。図１のエアー緩衝材１をミシン目４２により適切な大きさに切り離して、図２に示すように物品Ａの周囲に適宜配置するとよい。そして、物品Ａを箱Ｂから取り出す、または、箱Ｂを片付ける際に、エアー緩衝材１、２を手に取り、広告面３２、３４を見ることになる。また、広告面３２、３４が上面になるようにエアー緩衝材１、２を配置すると開封した時に必ず目にするため、より宣伝効果が高い。
【００２６】
以上のような構造の本実施の形態に係るエアー緩衝材によれば、フィルムの一部が広告表示手段であることで、緩衝手段としてだけでなく、それ自体を広告として有効活用することができる。
【００２７】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００２８】
以上のように、本発明によれば、フィルムの一部が広告表示手段であることで、それ自体を広告として有効活用したエアー緩衝材を提供することができる。
【符号の説明】
【００２９】
１、２・・・・エアー緩衝材
１０、５０・・・空気室
１２・・・仕切り部
１４、５４・・・シール部
１６・・・境界部
２０・・・袋状部分
２２・・・開口部
３０・・・広告表示手段
３２、３４・・・広告面
４０・・・分割手段
４２・・・ミシン目
【図１】
2020190699.tif 000003
【図２】
2020190699.tif 000004